(57)【特許請求の範囲】
【請求項１】
左右対称となるように設置された支持箱を含み、前記支持箱の間には泥吸い上げ箱が設置され、前記泥吸い上げ箱の中には動力空間が設置され、前記動力空間の上端壁にはモーターが設置され、前記モーターと前記泥吸い上げ箱とが固定的に連結され、前記動力空間の下側には下方に開口した泥上げ空間が設置され、前記泥吸い上げ箱の下端面には前記泥上げ空間の後側に位置する後側止め板が固定的に連結され、前記動力空間の後側には左右貫通したスライドロッド空間が設置され、前記スライドロッド空間の中には左右両側に延びるスライドロッドがスライド可能に連結され、前記泥上げ空間の後側には連結ロッド空間が設置され、前記連結ロッド空間の左右両側には外側に開口した触発板空間が対称となるように設置され、左側の前記触発板と前記泥上げ空間との間には下方に開口した左側止め板空間が設置され、前記左側止め板空間の中には左側止め板がスライド可能に連結され、前記左側止め板の上端面と前記左側止め板空間の上端壁とが第一圧縮ばねにより固定的に連結されており、
前記支持箱は昇降空間を含み、前記昇降空間が前記支持箱の中に位置し、前記支持箱の下端面には左右対称となるように設置された自在キャスターが固定的に連結され、前記昇降空間の下端壁には上方へ前記昇降空間を貫通して外部に延びた昇降軸が回転可能に連結され、前記昇降軸の上側末端には高さつまみが固定的に連結され、前記昇降空間の中には昇降ブロックが設置され、前記昇降ブロックと前記昇降軸とがねじ山により連結され、前記昇降空間の内側には内外を連通するスライドロッド貫通空間が前記昇降空間と連通するように設置され、左側の前記昇降ブロックの中には右方に開口したスリーブ空間が設置され、前記スリーブ空間が前記昇降軸の後側に位置し、左側の前記昇降空間の左端壁には連結軸が回転可能に連結され、前記連結軸は左方へ外部空間に延び、そして右方へ前記スリーブ空間に延び、前記連結軸の左側末端には幅つまみが固定的に連結され、前記スリーブ空間の中には前記連結軸の右側末端に固定的に連結された平行移動スリーブが設置され、前記スライドロッドは左方に延びて前記平行移動スリーブとねじ山により連結され、そして右方に延びて右側の前記昇降ブロックの左端面に固定的に連結され、左側の前記昇降ブロックの右端面と前記泥吸い上げ箱の左端面とが引っ張りばねにより固定的に連結され、前記引っ張りばねが左側の前記スライドロッド貫通空間を貫通しており、
前記動力空間はスプライン軸を含み、前記スプライン軸が前記モーターの下端面に固定的に連結され、かつ下方へ前記動力空間に延び、前記スプライン軸の中には下方に開口したスプライン空間が設置され、前記スプライン空間の中には下方へ前記泥上げ空間に延びた回転軸がスプラインにより連結され、前記回転軸の上端面と前記スプライン空間の上端壁とが第二圧縮ばねにより固定的に連結され、前記動力空間の中には磁性回転板が設置され、前記磁性回転板と前記回転軸とが回転可能に連結され、前記磁性回転板の下端面と前記左側止め板の上端面とが第一引き紐により固定的に連結され、前記動力空間の中にはさらに前記磁性回転板の下側に位置する第一伝動歯車が設置され、前記第一伝動歯車と前記回転軸とが固定的に連結され、前記動力空間の下端壁には前記回転軸の右側に位置するリール軸が回転可能に連結され、前記リール軸が上方へ前記動力空間に延び、前記リール軸には前記第一伝動歯車と噛み合うことができる第二伝動歯車が固定的に連結され、前記リール軸の上側末端にはリールが固定的に連結され、前記リールと右側の前記支持箱とが第二引き紐により固定的に連結されており、
前記泥上げ空間はドリルビットを含み、前記ドリルビットと前記回転軸の下側末端とが固定的に連結され、前記泥上げ空間の中には螺旋板が設置され、前記螺旋板と前記回転軸とが固定的に連結され、前記泥上げ空間の後側には前記連結ロッド空間の上側に位置する泥吸い上げポンプが設置され、前記泥吸い上げポンプと前記泥吸い上げ箱とが固定的に連結され、前記泥上げ空間の後側には後方に開口した泥通過空間が前記泥上げ空間と連通するように設置され、前記泥通過空間が前記泥吸い上げポンプを貫通し、前記泥吸い上げ箱の後端面には前記泥通過空間に対応するコルゲートチューブが固定的に連結されており、
前記連結ロッド空間は連結ロッドを含み、前記連結ロッドが前記連結ロッド空間にスライド可能に連結され、かつ左右両側へ前記触発板空間に延び、前記触発板空間の中には前記連結ロッドの左右両側末端に固定的に連結された触発板がスライド可能に連結され、左側の前記触発板の右端面と前記磁性回転板の上端面とが第三引き紐により固定的に連結され、前記連結ロッド空間の前端壁には前記連結ロッドと当接する摩擦ブロックが固定的に連結されており、
前記左側止め板が前記第一圧縮ばねの推力作用で泥に挿されることにより安定作用を果たせると同時に泥が左側へ流れることを止められ、こうして泥を徹底的に除去でき、前記後側止め板が泥に挿されることにより安定作用を果たせると同時に泥が後方に流れることを止められ、こうして泥を徹底的に除去できることを特徴とする揚水を行わない河道用の調節可能な自動泥除去装置。
【発明の詳細な説明】
【技術分野】
【０００１】
本願発明は浚渫関連技術分野に関し、具体的には揚水を行わない河道用の調節可能な自動泥除去装置である。
【背景技術】
【０００２】
河川の川床に泥が堆積すると、河道が自体の機能を失うことをもたらし、現在の大型河道に対する泥除去作業は通常、浚渫船によって行われるが、浚渫船は狭い河道に進入できないため、狭い河道に対する泥除去作業は通常揚水を行ってから泥を吸い上げるという方法を使用し、しかし、この方法では、仕事量が多く、また、川床内の泥と土砂が混じり合うので、泥を直接吸い上げると、効率が低く、そして、泥が全部吸い上げられることができなく、泥を吸い上げた後、手動で泥と土砂を分離する必要もある。
【先行技術文献】
【特許文献】
【０００３】
【特許文献１】中国特許出願公開第１０４４５２６５６号明細書
【発明の概要】
【発明が解決しようとする課題】
【０００４】
本願発明は揚水を行わない河道用の調節可能な自動泥除去装置を提供し、既存技術にある上記の欠点を解消することを目的とする。
【課題を解決するための手段】
【０００５】
本願発明は揚水を行わない河道用の調節可能な自動泥除去装置であり、左右対称となるように設置された支持箱を含み、前記支持箱の間には泥吸い上げ箱が設置され、前記泥吸い上げ箱の中には動力空間が設置され、前記動力空間の上端壁にはモーターが設置され、前記モーターと前記泥吸い上げ箱とが固定的に連結され、前記動力空間の下側には下方に開口した泥上げ空間が設置され、前記泥吸い上げ箱の下端面には前記泥上げ空間の後側に位置する後側止め板が固定的に連結され、前記動力空間の後側には左右貫通したスライドロッド空間が設置され、前記スライドロッド空間の中には左右両側に延びるスライドロッドがスライド可能に連結され、前記泥上げ空間の後側には連結ロッド空間が設置され、前記連結ロッド空間の左右両側には外側に開口した触発板空間が対称となるように設置され、左側の前記触発板と前記泥上げ空間との間には下方に開口した左側止め板空間が設置され、前記左側止め板空間の中には左側止め板がスライド可能に連結され、前記左側止め板の上端面と前記左側止め板空間の上端壁とが第一圧縮ばねにより固定的に連結されている。
【０００６】
前記支持箱は昇降空間を含み、前記昇降空間が前記支持箱の中に位置し、前記支持箱の下端面には左右対称となるように設置された自在キャスターが固定的に連結され、前記昇降空間の下端壁には上方へ前記昇降空間を貫通して外部に延びた昇降軸が回転可能に連結され、前記昇降軸の上側末端には高さつまみが固定的に連結され、前記昇降空間の中には昇降ブロックが設置され、前記昇降ブロックと前記昇降軸とがねじ山により連結され、前記昇降空間の内側には内外を連通するスライドロッド貫通空間が前記昇降空間と連通するように設置され、左側の前記昇降ブロックの中には右方に開口したスリーブ空間が設置され、前記スリーブ空間が前記昇降軸の後側に位置し、左側の前記昇降空間の左端壁には連結軸が回転可能に連結され、前記連結軸は左方へ外部空間に延び、そして右方へ前記スリーブ空間に延び、前記連結軸の左側末端には幅つまみが固定的に連結され、前記スリーブ空間の中には前記連結軸の右側末端に固定的に連結された平行移動スリーブが設置され、前記スライドロッドは左方に延びて前記平行移動スリーブとねじ山により連結され、そして右方に延びて右側の前記昇降ブロックの左端面に固定的に連結され、左側の前記昇降ブロックの右端面と前記泥吸い上げ箱の左端面とが引っ張りばねにより固定的に連結され、前記引っ張りばねが左側の前記スライドロッド貫通空間を貫通する。
【０００７】
前記動力空間はスプライン軸を含み、前記スプライン軸が前記モーターの下端面に固定的に連結され、かつ下方へ前記動力空間に延び、前記スプライン軸の中には下方に開口したスプライン空間が設置され、前記スプライン空間の中には下方へ前記泥上げ空間に延びた回転軸がスプラインにより連結され、前記回転軸の上端面と前記スプライン空間の上端壁とが第二圧縮ばねにより固定的に連結され、前記動力空間の中には磁性回転板が設置され、前記磁性回転板と前記回転軸とが回転可能に連結され、前記磁性回転板の下端面と前記左側止め板の上端面とが第一引き紐により固定的に連結され、前記動力空間の中にはさらに前記磁性回転板の下側に位置する第一伝動歯車が設置され、前記第一伝動歯車と前記回転軸とが固定的に連結され、前記動力空間の下端壁には前記回転軸の右側に位置するリール軸が回転可能に連結され、前記リール軸が上方へ前記動力空間に延び、前記リール軸には前記第一伝動歯車と噛み合うことができる第二伝動歯車が固定的に連結され、前記リール軸の上側末端にはリールが固定的に連結され、前記リールと右側の前記支持箱とが第二引き紐により固定的に連結されている。
【０００８】
前記泥上げ空間はドリルビットを含み、前記ドリルビットと前記回転軸の下側末端とが固定的に連結され、前記泥上げ空間の中には螺旋板が設置され、前記螺旋板と前記回転軸とが固定的に連結され、前記泥上げ空間の後側には前記連結ロッド空間の上側に位置する泥吸い上げポンプが設置され、前記泥吸い上げポンプと前記泥吸い上げ箱とが固定的に連結され、前記泥上げ空間の後側には後方に開口した泥通過空間が前記泥上げ空間と連通するように設置され、前記泥通過空間が前記泥吸い上げポンプを貫通し、前記泥吸い上げ箱の後端面には前記泥通過空間に対応するコルゲートチューブが固定的に連結されている。
【０００９】
前記連結ロッド空間は連結ロッドを含み、前記連結ロッドが前記連結ロッド空間にスライド可能に連結され、かつ左右両側へ前記触発板空間に延び、前記触発板空間の中には前記連結ロッドの左右両側末端に固定的に連結された触発板がスライド可能に連結され、左側の前記触発板の右端面と前記磁性回転板の上端面とが第三引き紐により固定的に連結され、前記連結ロッド空間の前端壁には前記連結ロッドと当接する摩擦ブロックが固定的に連結されている。
【発明の効果】
【００１０】
本願発明は、高さつまみと幅つまみにより異なる幅や深さを持つ河道に対応でき、泥吸い上げ箱は体積が小さいから、狭い河道に対する泥除去作業に使用でき、ドリルビットを川床に挿すことにより土砂と泥が泥上げ空間に入り、その後、泥吸い上げポンプにより泥を吸い上げ、泥を徹底的に除去することを保証でき、その他、本願発明は作動した後、支持箱が押されて前に進めば泥除去作業を自動的に完成でき、操作が簡単である。
【図面の簡単な説明】
【００１１】
下記に図１〜５をあわせて本発明について詳しく説明し、便利に説明するために、下記の方向を以下のように規定する：図１は本発明の正面図であり、本願に記載の各方向が、図１と同じ向きに本願発明を見た際の方向である。
【００１２】
【図１】図１は本願発明の構成概略図
【図２】図２は図１におけるＡ―Ａ方向の断面構成概略図
【図３】図３は図１におけるＢ―Ｂ方向の断面構成概略図
【図４】図４は図１におけるＣ―Ｃ方向の断面構成概略図
【図５】図５は図１におけるＤ部の拡大構成概略図
【発明を実施するための形態】
【００１３】
図１〜５に示すように、本願発明は揚水を行わない河道用の調節可能な自動泥除去装置であり、左右対称となるように設置された支持箱１０を含み、前記支持箱１０の間には泥吸い上げ箱３７が設置され、前記泥吸い上げ箱３７の中には動力空間３２が設置され、前記動力空間３２の上端壁にはモーター３５が設置され、前記モーター３５と前記泥吸い上げ箱３７とが固定的に連結され、前記動力空間３２の下側には下方に開口した泥上げ空間２４が設置され、前記泥吸い上げ箱３７の下端面には前記泥上げ空間２４の後側に位置する後側止め板２７が固定的に連結され、前記動力空間３２の後側には左右貫通したスライドロッド空間３３が設置され、前記スライドロッド空間３３の中には左右両側に延びるスライドロッド１６がスライド可能に連結され、前記泥上げ空間２４の後側には連結ロッド空間４９が設置され、前記連結ロッド空間４９の左右両側には外側に開口した触発板空間４６が対称となるように設置され、左側の前記触発板４６と前記泥上げ空間２４との間には下方に開口した左側止め板空間４４が設置され、前記左側止め板空間４４の中には左側止め板４３がスライド可能に連結され、前記左側止め板４３の上端面と前記左側止め板空間４４の上端壁とが第一圧縮ばね１５により固定的に連結され、前記後側止め板２７が泥に挿されることにより安定作用を果たせると同時に泥が後方に流れることを止められ、こうして泥を徹底的に除去できる。
【００１４】
前記支持箱１０は昇降空間１１を含み、前記昇降空間１１が前記支持箱１０の中に位置し、前記支持箱１０の下端面には左右対称となるように設置された自在キャスター１３が固定的に連結され、前記昇降空間１１の下端壁には上方へ前記昇降空間１１を貫通して外部に延びた昇降軸１８が回転可能に連結され、前記昇降軸１８の上側末端には高さつまみ１９が固定的に連結され、前記昇降空間１１の中には昇降ブロック５４が設置され、前記昇降ブロック５４と前記昇降軸１８とがねじ山により連結され、前記昇降空間１１の内側には内外を連通するスライドロッド貫通空間３８が前記昇降空間１１と連通するように設置され、左側の前記昇降ブロック５４の中には右方に開口したスリーブ空間３９が設置され、前記スリーブ空間３９が前記昇降軸１８の後側に位置し、左側の前記昇降空間１１の左端壁には連結軸４１が回転可能に連結され、前記連結軸４１は左方へ外部空間に延び、そして右方へ前記スリーブ空間３９に延び、前記連結軸４１の左側末端には幅つまみ３６が固定的に連結され、前記スリーブ空間３９の中には前記連結軸４１の右側末端に固定的に連結された平行移動スリーブ４０が設置され、前記スライドロッド１６は左方に延びて前記平行移動スリーブ４０とねじ山により連結され、そして右方に延びて右側の前記昇降ブロック５４の左端面に固定的に連結され、左側の前記昇降ブロック５４の右端面と前記泥吸い上げ箱３７の左端面とが引っ張りばね１２により固定的に連結され、前記引っ張りばね１２が左側の前記スライドロッド貫通空間３８を貫通し、
前記高さつまみ１９を回すことにより前記昇降軸１８が駆動されて回転し、前記昇降ブロック５４が駆動されて上方または下方に運動し、前記泥吸い上げ箱３７が前記スライドロッド１６に駆動されて上方または下方に運動することにより、異なる深さを持つ河道に対する泥除去作業の要件を満たし、前記幅つまみ３６を回し、前記連結軸４１により前記平行移動スリーブ４０が駆動されて回転し、前記スライドロッド１６が左方または右方に運動し、前記支持箱１０の間隔を調節することにより異なる幅を持つ河道に対する泥除去作業の要件を満たす。
【００１５】
前記動力空間３２はスプライン軸３４を含み、前記スプライン軸３４が前記モーター３５の下端面に固定的に連結され、かつ下方へ前記動力空間３２に延び、前記スプライン軸３４の中には下方に開口したスプライン空間２１が設置され、前記スプライン空間２１の中には下方へ前記泥上げ空間２４に延びた回転軸３１がスプラインにより連結され、前記回転軸３１の上端面と前記スプライン空間２１の上端壁とが第二圧縮ばね２０により固定的に連結され、前記動力空間３２の中には磁性回転板２２が設置され、前記磁性回転板２２と前記回転軸３１とが回転可能に連結され、前記磁性回転板２２の下端面と前記左側止め板４３の上端面とが第一引き紐１４により固定的に連結され、前記動力空間３２の中にはさらに前記磁性回転板２２の下側に位置する第一伝動歯車２３が設置され、前記第一伝動歯車２３と前記回転軸３１とが固定的に連結され、前記動力空間３２の下端壁には前記回転軸３１の右側に位置するリール軸５２が回転可能に連結され、前記リール軸５２が上方へ前記動力空間３２に延び、前記リール軸５２には前記第一伝動歯車２３と噛み合うことができる第二伝動歯車５１が固定的に連結され、前記リール軸５２の上側末端にはリール５０が固定的に連結され、前記リール５０と右側の前記支持箱１０とが第二引き紐１７により固定的に連結され、
前記支持箱１０の間隔が最大値に達するとき、前記第二引き紐１７がちょうど引っ張られ、前記モーター３５が作動して前記スプライン軸３４を回転させ、さらに前記回転軸３１を回転させ、前記第一伝動歯車２３が前記第二伝動歯車５１と噛み合うとき、前記回転軸３１が回転して前記第一伝動歯車２３により前記第二伝動歯車５１を回転させ、前記リール軸５２と前記リール５０を回転させ、前記リール５０を介して前記第二引き紐１７を引っ張ることにより、前記泥吸い上げ箱３７が前記引っ張りばね１２の引張力に抵抗して右方に運動し、前記第一伝動歯車２３が前記第二伝動歯車５１との噛合から離脱するとき、前記泥吸い上げ箱３７が前記引っ張りばね１２の引張力作用で左方へ運動して初期位置に至り、前記左側止め板４３が前記第一圧縮ばね１５の推力作用で泥に挿されることにより安定作用を果たせると同時に泥が左側へ流れることを止められ、こうして泥を徹底的に除去できる。
【００１６】
前記泥上げ空間２４はドリルビット２６を含み、前記ドリルビット２６と前記回転軸３１の下側末端とが固定的に連結され、前記泥上げ空間２４の中には螺旋板２５が設置され、前記螺旋板２５と前記回転軸３１とが固定的に連結され、前記泥上げ空間２４の後側には前記連結ロッド空間４９の上側に位置する泥吸い上げポンプ２８が設置され、前記泥吸い上げポンプ２８と前記泥吸い上げ箱３７とが固定的に連結され、前記泥上げ空間２４の後側には後方に開口した泥通過空間３０が前記泥上げ空間２４と連通するように設置され、前記泥通過空間３０が前記泥吸い上げポンプ２８を貫通し、前記泥吸い上げ箱３７の後端面には前記泥通過空間３０に対応するコルゲートチューブ２９が固定的に連結され、
前記回転軸３１が回転して前記螺旋板２５と前記ドリルビット２６を回転させ、前記ドリルビット２６が泥に挿されるまで前記回転軸３１が下方に運動し、前記ドリルビット２６の回転により泥が上方へ前記泥上げ空間２４に送られ、前記螺旋板２５の回転により前記泥上げ空間２４の中の泥が上方へ上げられて前記泥通過空間３０に送られ、前記泥吸い上げポンプ２８の作用で泥が前記泥通過空間３０と前記コルゲートチューブ２９を介して外部空間に排出される。
【００１７】
前記連結ロッド空間４９は連結ロッド４８を含み、前記連結ロッド４８が前記連結ロッド空間４９にスライド可能に連結され、かつ左右両側へ前記触発板空間４６に延び、前記触発板空間４６の中には前記連結ロッド４８の左右両側末端に固定的に連結された触発板４５がスライド可能に連結され、左側の前記触発板４５の右端面と前記磁性回転板２２の上端面とが第三引き紐４２により固定的に連結され、前記連結ロッド空間４９の前端壁には前記連結ロッド４８と当接する摩擦ブロック４７が固定的に連結され、
前記連結ロッド４８と前記摩擦ブロック４７との間の摩擦力が前記第二圧縮ばね２０と前記第一圧縮ばね１５との弾性力の和より大きく、右側の前記触発板４５が河道の右壁と接触すると、左側の前記触発板４５が前記連結ロッド４８に駆動されて左方に運動し、前記磁性回転板２２が前記第三引き紐４２に駆動されて前記第二圧縮ばね２０と前記第一圧縮ばね１５の推力に抵抗して上方に運動することにより、前記第一伝動歯車２３を前記第二伝動歯車５１との噛合から離脱させ、前記泥吸い上げ箱３７は前記引っ張りばね１２の引張力作用で左側の前記触発板４５が河道の左壁と接触するまで左方に運動し、左側の前記触発板４５が右方に運動することにより前記第三引き紐４２を繰り出し、前記磁性回転板２２が前記第二圧縮ばね２０と前記第一圧縮ばね１５の推力作用で下方に運動する。
【００１８】
以下、図１〜５及び以上の記載を参照して本願発明を詳しく説明する。
【００１９】
初期状態では、左側の触発板４５が完全に左側の触発板空間４６に位置し、第三引き紐４２が引っ張られた状態にあり、第二圧縮ばね２０が緩んだ状態にあり、第一伝動歯車２３と第二伝動歯車５１とが噛み合いっており、ドリルビット２６が泥上げ空間２４の下側に位置し、第一引き紐１４が引っ張られた状態にあり、第一圧縮ばね１５が緩んだ状態にあり、左側止め板４３の一部が左側止め板空間４４に位置し、引っ張りばね１２が緩んだ状態にあり、第二引き紐１７が緩んだ状態にある。
【００２０】
作動時、幅つまみ３６を回し、浚渫予定の河道の幅に応じて支持箱１０の間隔を調節し、泥吸い上げ箱３７の左端壁を河道の左壁と当接させ、高さつまみ１９を回し、浚渫予定の河道の深さに応じて泥吸い上げ箱３７の高さを調節し、泥吸い上げ箱３７の底端面を川床の泥に当接させ、ドリルビット２６、後側止め板２７、及び左側止め板４３を泥に挿し、モーター３５と泥吸い上げポンプ２８を始動し、モーター３５は作動して螺旋板２５とドリルビット２６を回転させると同時に泥吸い上げ箱３７を右方に運動させ、螺旋板２５とドリルビット２６が回転して泥を上方に上げ、泥吸い上げポンプ２８は作動して泥上げ空間２４の中の泥を泥通過空間３０とコルゲートチューブ２９を介して外部空間に排出し、泥吸い上げ箱３７は右側の触発板４５が河道の右壁と接触するまで運動した後、右側の触発板４５が連結ロッド４８と摩擦ブロック４７との間の摩擦力に抵抗して左方に運動し、回転軸３１と磁性回転板２２が第三引き紐４２に駆動されて上方に運動し、左側止め板４３が第一引き紐１４の引張力作用で完全に左側止め板空間４４に位置するまで上方に運動することにより、左側止め板４３が左方に移動する時に受けた抵抗力を小さくし、泥吸い上げ箱３７は引っ張りばね１２の引張力作用で左側の触発板４５が河道の左壁と接触するまで左方に運動し、左側の触発板４５が右方に運動することにより第三引き紐４２を繰り出し、磁性回転板２２と回転軸３１が初期位置に戻り、ここで一回の左右方向の泥除去作業を完成し、支持箱１０を前に押して以上の動作を繰り返せば河道の自動泥除去作業を完成する。
【００２１】
上記は、ただ発明の具体的な実施方式であり、発明の保護範囲はこれに限定されたものではなく、創造的な労働を通さなく想到できる全ての変化又は入れ替わりは、本願発明の保護範囲の中に含む。したがって、発明の保護範囲は特許請求に限定された保護範囲を基準とするべきである。
【要約】
【課題】本願発明は揚水を行わない河道用の調節可能な自動泥除去装置を開示した。
【解決手段】
左右対称となるように設置された支持箱を含み、前記支持箱の間には泥吸い上げ箱が設置され、前記泥吸い上げ箱の中には動力空間が設置され、前記動力空間の上端壁にはモーターが設置され、前記モーターと前記泥吸い上げ箱とが固定的に連結され、前記動力空間の下側には下方に開口した泥上げ空間が設置され、本願発明は、高さつまみと幅つまみにより異なる幅や深さを持つ河道に対応でき、泥吸い上げ箱は体積が小さいから、狭い河道に対する泥除去作業に使用でき、ドリルビットを川床に挿すことにより土砂と泥が泥上げ空間に入り、その後、泥吸い上げポンプにより泥を吸い上げ、泥を徹底的に除去することを保証でき、その他、本願発明は作動した後、支持箱が押されて前に進めば泥除去作業を自動的に完成でき、操作が簡単である。
【選択図】図１【図１】
0006799217.tif 000002
【図２】
0006799217.tif 000003
【図３】
0006799217.tif 000004
【図４】
0006799217.tif 000005
【図５】
0006799217.tif 000006